(57)【要約】    【課題】収納ケースを開放して制御素子をすり替える不正を効果的に防止することができる上、収納ケースを容易に開放して基板の修理・メンテナンスや制御素子のチェックを行うことが可能な制御装置を提供する。    【解決手段】制御装置１は、ＬＳＩ等を搭載した基板２が、上ケース３と下ケース４とからなる収納ケースＣによって覆われている。収納ケースＣには、ＩＣタグ２６が取り付けられているとともに、監視手段である監視ユニット７４が、ベルト８０を収納ケースＣの外周に弛みなく捲回させた状態で取り付けられている。そして、監視ユニット７４のハウジングＨに収納されたアンテナ３２が、無線通信可能な所定距離を隔ててＩＣタグ２６と対峙した状態になっている。【選択図】図２
2005074239.tif 000002
【特許請求の範囲】
【請求項１】
非接触式のＩＤ通信による呼出波を受信すると記憶している識別情報を含む反射波を出力するＩＣタグと、アンテナを介して前記ＩＣタグに対して呼出波を送信しＩＣタグからの反射波を受信する監視装置とからなる制御装置用監視手段であって、
前記監視装置が、長手方向に沿って前記アンテナの配線を敷設した長尺なベルト部材と、前記アンテナを収納するとともに前記ベルト部材の基端を固着した状態でベルト部材の先端を係着可能なハウジングとを有していることを特徴とする制御装置用監視手段。
【請求項２】
ハウジング内に、監視装置の回路を遮断するためのスイッチが設けられていることを特徴とする請求項１に記載の制御装置用監視手段。
【請求項３】
ハウジングに、ベルト部材の先端との係着状態の保持および係着状態の解除をするための可動式の係脱摘みが設けられていることを特徴とする請求項１、または２に記載の制御装置用監視手段。
【請求項４】
ベルト部材の先端が係着された状態になるように係脱摘みを操作すると、スイッチが連動して、監視装置の回路が通電した状態となることを特徴とする請求項１〜３のいずれかに記載の制御装置用監視手段。
【請求項５】
所定の動作を行う機器の動作内容を制御するための制御素子が、収納ケースによって外部と遮断された状態で収納された制御装置であって、
請求項１〜４のいずれかの制御装置用監視手段が、ＩＣタグを前記収納ケースに取り付けるとともに、ベルト部材を収納ケースの外周に弛みなく捲回させ、係脱摘みの操作によりベルト部材の先端をハウジングに係着させた状態で装着されており、
装着された制御装置用監視手段のハウジングに設置されたアンテナが、ＩＣタグとの間で、非接触式のＩＤ通信をすることが可能な状態になっていることを特徴とする制御装置。
【請求項６】
ＩＣタグが、ベースシート上に送受信回路を積層したものであり、収納ケースから剥離すると、送受信回路が断線するようになっていることを特徴とする請求項５に記載の制御装置。
【請求項７】
請求項５、または請求項６に記載の制御装置を備えたことを特徴とする遊技機。
【発明の詳細な説明】
【技術分野】
【０００１】
本発明は、パチンコ機、スロットマシーン等の遊技機をはじめとする各種の機器に用いる制御装置に関するものであり、詳しくは、不正行為を効果的に防止することが可能な遊技機用の制御装置に関するものである。
【背景技術】
【０００２】
パチンコ機用の制御装置として、動作内容を制御するＬＳＩやＲＯＭ等の制御素子を分割式の収納ケースで覆ったものが知られている。かかる制御装置においては、収納ケースを開放しＬＳＩやＲＯＭ等の制御素子を偽造されたものにすり替える不正行為が行われることがある。それゆえ、そのような不正行為を防止可能な制御装置として、固有の識別情報を記憶したＩＣタグを収納ケースの表面に貼着するとともに、ＩＤ読取装置をＩＣタグの近傍に設置し、そのＩＤ読取装置によってＩＣタグの識別情報を一定の周期毎に読み取る（確認する）ようにしたものが考案されている（たとえば、特許文献１参照）。
【０００３】
【特許文献１】特開２０００−２８８２１８号公報
【０００４】
ところが、特許文献１に開示された制御装置は、ＩＤ読取装置を自由に移動させることができるため、そのＩＤ読取装置とＩＣタグとの相対位置を変化させることなく収納ケースを開閉することができるので、収納ケースが開放されて、ＬＳＩやＲＯＭ等の制御素子がすり替えられてしまう虞れがある。
【０００５】
それゆえ、出願人らは、ＩＣタグとそのＩＣの情報を読み取る装置との相対位置を変化させることなくＩＣタグが取り外されてしまう事態を防止すべく、ＩＣタグを分割式収納ケースの片方に貼着し、剥がされると自己破壊して信号の送受信をする機能を果たさなくなるアンテナ（ＩＣタグと無線による送受信を行うアンテナ）を、分割式収納ケースのすべてのパーツに跨がってＩＣタグを覆うように貼着してなる制御装置を発明した（特願２００２−３４６３８５）。
【発明の開示】
【発明が解決しようとする課題】
【０００６】
しかしながら、特願２００２−３４６３８５に係る制御装置は、内蔵された基板の修理・メンテナンスや制御素子のチェックのために収納ケースを開放する場合に、アンテナを剥がさなければならない。また、剥がすとアンテナが自己破壊してしまうため、基板の修理・メンテナンスや制御素子のチェックの後には、新しいアンテナを貼着し、配線をし直さなければならない。それゆえ、基板の修理・メンテナンスや制御素子のチェックの作業が煩わしかった。
【０００７】
本発明の目的は、上記従来の制御装置が有する問題点を解消し、収納ケースを開放して制御素子をすり替える不正を効果的に防止することができる上、収納ケースを容易に開放して基板の修理・メンテナンスや制御素子のチェックを行うことが可能な制御装置を提供することにある。また、そのような制御装置に好適に用いることが可能な制御装置用監視手段を提供することにある。
【課題を解決するための手段】
【０００８】
かかる本発明の内、請求項１に記載された発明の構成は、非接触式のＩＤ通信による呼出波を受信すると記憶している識別情報を含む反射波を出力するＩＣタグと、アンテナを介して前記ＩＣタグに対して呼出波を送信しＩＣタグからの反射波を受信する監視装置とからなる制御装置用監視手段であって、前記監視装置が、長手方向に沿って前記アンテナの配線を敷設した長尺なベルト部材と、前記アンテナを収納するとともに前記ベルト部材の基端を固着した状態でベルト部材の先端を係着可能なハウジングとを有していることにある。
【０００９】
請求項２に記載された発明の構成は、請求項１に記載された発明において、ハウジング内に、監視装置の回路を遮断するためのスイッチが設けられていることにある。
【００１０】
請求項３に記載された発明の構成は、請求項１、または請求項２に記載された発明において、ハウジングに、ベルト部材の先端との係着状態の保持および係着状態の解除をするための可動式の係脱摘みが設けられていることにある。
【００１１】
請求項４に記載された発明の構成は、請求項１〜３のいずれかに記載された発明において、ベルト部材の先端が係着された状態になるように係脱摘みを操作すると、スイッチが連動して、監視装置の回路が通電した状態となることにある。
【００１２】
請求項５に記載された発明の構成は、所定の動作を行う機器の動作内容を制御するための制御素子が、収納ケースによって外部と遮断された状態で収納された制御装置であって、請求項１〜４のいずれかの制御装置用監視手段が、ＩＣタグを前記収納ケースに取り付けるとともに、ベルト部材を収納ケースの外周に弛みなく捲回させ、係脱摘みの操作によりベルト部材の先端をハウジングに係着させた状態で装着されており、装着された制御装置用監視手段のハウジングに設置されたアンテナが、ＩＣタグとの間で、非接触式のＩＤ通信をすることが可能な状態になっていることにある。
【００１３】
請求項６に記載された発明の構成は、請求項５に記載された発明において、ＩＣタグが、ベースシート上に送受信回路を積層したものであり、収納ケースから剥離すると、送受信回路が断線するようになっていることにある。
【００１４】
請求項７に記載された発明の構成は、請求項５、または請求項６に記載の制御装置を備えた遊技機にある。
【発明の効果】
【００１５】
請求項１に記載された制御装置用監視手段は、アンテナを介してＩＣタグに対して呼出波を送信しＩＣタグからの反射波を受信する監視装置が、長手方向に沿ってアンテナの配線を敷設した長尺なベルト部材と、アンテナを収納するとともにベルト部材の基端を固着した状態でベルト部材の先端を係着可能なハウジングとを有しているため、ＩＣタグを制御装置の収納ケースに固着し、そのＩＣタグとアンテナとが対峙するように（非接触式のＩＤ通信をすることができるように）ベルト部材を制御装置の収納ケースに捲回させるだけで、制御装置の不正開放を監視することが可能となる。また、すでにパチンコホールに設置されている遊技機の制御装置や、各メーカーによって製造される異なるタイプの制御装置等にも非常に容易に取り付けることができる。
【００１６】
請求項２に記載された制御装置用監視手段は、ハウジング内に、アンテナと外部の監視装置とを接続した回路を遮断するためのスイッチが設けられているため、不必要なときには、スイッチの操作によって監視状態を解除することができる。
【００１７】
請求項３に記載された制御装置用監視手段は、ハウジングに、ベルト部材の先端との係着状態の保持および係着状態の解除をするための可動式の係脱摘みが設けられているため、制御装置の修理、メンテナンスや、チェックの際には、係脱摘みを操作して、ハウジングとベルト部材の先端との係着状態の解除をするだけで、非常に容易に制御装置の収納ケースを開放することができる。
【００１８】
請求項４に記載された制御装置用監視手段は、ベルト部材の先端が係着された状態になるように係脱摘みを操作すると、スイッチが連動して、監視装置の回路が通電した状態となるため、制御装置に装着しただけで自動的に監視装置が作動状態になるので、スイッチの入れ忘れによる監視ミスを起こす心配がない。
【００１９】
請求項５に記載された制御装置は、請求項１〜４のいずれかの制御装置用監視手段が、ＩＣタグを収納ケースに取り付けるとともに、ベルト部材を収納ケースの外周に弛みなく捲回させ、係脱摘みの操作によりベルト部材の先端をハウジングに係着させた状態で装着されており、装着された制御装置用監視手段のハウジングに設置されたアンテナが、ＩＣタグとの間で、非接触式のＩＤ通信をすることが可能な状態になっているため、収納ケースが不正に開放された場合（すなわち、制御装置用監視手段が剥ぎ取られた場合）には、ＩＣタグとアンテナとが送受信不能となり、不正に開放された事態を直ちに（リアルタイムで）検知することができる。したがって、ＬＳＩ等の制御素子の不正取り替え、不正改造等の不正行為を、効果的に防止することができる。
【００２０】
請求項６に記載された制御装置は、ＩＣタグが、ベースシート上に送受信回路を積層したものであり、収納ケースから剥離すると、ＩＣタグの送受信回路が断線するため、ＩＣタグが収納ケースから無理矢理剥がされた場合には、ＩＣタグとアンテナとが送受信不能となり、送受信可能な状態に復元し得ないため、不正行為の防止機能の信頼性が高い。
【００２１】
請求項７に記載された遊技機は、請求項５、または請求項７に記載の制御装置を備えたものであるため、制御装置の収納ケースが不正に開放された場合には、ＩＣタグとアンテナとによって、直ちにその事態を検知することができるので、ＬＳＩ等の制御素子の不正取り替え、不正改造等の不正行為を、効果的に防止することができる。
【発明を実施するための最良の形態】
【００２２】
以下、本発明に係る遊技機用監視手段（以下、単に監視手段という）、制御装置、および遊技機について、図面に基づき、次の目次の順序にしたがって、詳細に説明する。
（１）実施例の制御装置の概要
（２）実施例の制御装置の構造
（３）実施例の制御装置の特徴部分の説明
（４）実施例の制御装置の使用態様
（５）実施例の制御装置を設置したパチンコ機の動作内容
（６）実施例の監視手段、制御装置、および遊技機の効果
（７）本発明の変更例の説明
【００２３】
（１）実施例の制御装置の概要
本発明に係る制御装置は、収納ケースにＩＣタグが設置されているとともに、収納ケースの外周に、アンテナを内蔵した締着部材が捲回されており、ＩＣタグとアンテナとが、無線通信を定期的に繰り返すことによって、収納ケースの状態（不正開閉の有無等）を常時監視するようになっている。そして、ＩＣタグとアンテナとの無線通信が途切れた場合には、所定の信号を外部に出力し、収納ケースが不正に開放された可能性があることを報知するようになっている。
【００２４】
２．実施例の制御装置の構造
図１、図２は、それぞれ、本発明に係る制御装置の正面図、斜視図であり、制御装置１は、各種の制御素子を搭載した基板２、その基板２を覆うための上ケース３と下ケース４とからなる分割式の収納ケースＣ、ＩＣタグ２６、アンテナ３２を内蔵した監視ユニット７４等によって構成されている。
【００２５】
図３は、収納ケースＣを開放して基板２を取り外した状態を示したものであり、上ケース３は、透明な合成樹脂（アクリル樹脂等）によって開口した箱状に形成されており、長方形状のフロントパネル５の周囲が、略直角に後方に折り返された状態になっている。フロントパネル５の右側の折返し部６の後端縁際には、３個の縦長な係止孔７，７・・が等間隔で穿設されている。また、フロントパネル５の左側の折返し部８には、２個の係合翼９ａ，９ｂが設けられている。さらに、上側の係合翼９ａの上端、および、下側の係合翼９ｂの下端には、それぞれ、係合孔１２が穿設されている。また、フロントパネル５の上端際には、コネクタ挿通窓１４が設けられている。
【００２６】
また、下ケース４は、透明な合成樹脂（アクリル樹脂等）によって扁平な直方体状に形成されている。そして、長方形状の基板支持板１６の表面に、補強用のリブ１７，１７・・が格子状に立設されており、基板支持板１６の周囲が略直角に後方に折り返された状態になっている。また、下ケース４の右端縁際には、後述する効果音制御装置５６を覆うように中空状の音基板カバー１９が設けられており、その音基板カバー１９の内側面には、嵌合突起２０，２０・・が突設されている。さらに、左側の折返し部２１には、２個の支持翼２２ａ，２２ｂが連設されている。加えて、上側の支持翼２２ａの上端、および、下側の支持翼２２ｂの下端には、それぞれ、先端を矢尻状に形成した係合体２４，２４が突設されている。
【００２７】
一方、基板２は、縦長な長方形に形成されており、中央部分の表面に、パチンコ機１の動作内容を制御するためのＬＳＩ２５等の各種の制御素子が搭載されている。なお、ＬＳＩ２５は、各種の演算処理を行うＣＰＵ、データやプログラム等を一時的に記憶するＲＡＭ、各種のデータや制御プログラム等を記憶したＲＯＭ等を一体にモールディングしたものである。また、基板２の上端際には、各種の装置に接続するためのコネクタ１３，１３・・が設置されている。かかる基板２は、リブ１７，１７・・に支えられた状態で、下ケース４に螺着されている。
【００２８】
制御装置１は、下ケース４に螺着された基板２上のコネクタ１３，１３・・を、上ケース３のコネクタ挿通窓１４に挿通させ、下ケース４の右側の音基板カバー１９の内側面に突設された嵌合突起２０，２０・・を、上ケース３の右側の折返し部６に穿設された係止孔７，７・・に嵌合させた状態で、下ケース４の左側の各支持翼２２ａ，２２ｂに突設された各係合体２４，２４を、上ケース３の左側の各係合翼９ａ，９ｂに穿設された各係合孔１２，１２に係止させることによって、下ケース４と上ケース３とが一体になっており、下ケース４と上ケース３とで基板２を覆い、基板２と外部とを遮断した状態になっている。
【００２９】
３．実施例の制御装置の特徴部分の説明
図３の如く、上ケース３のフロントパネル５の外側には、扁平な長方形状のＩＣタグ２６が貼着されている。図４は、ＩＣタグ２６の外観を示したものであり、図５は、ＩＣタグ２６の制御機構を示したものである。また、図６は、上ケース３に貼着したＩＣタグ２６の断面（図４におけるＡ−Ａ線断面）の様子を示したものである。ＩＣタグ２６は、合成樹脂（ポリエステル等）製のフレキシブルプリント基板２７の表面に、アンカーコート層（エステル樹脂系の接着剤層）７２，７２・・が横縞状に塗布されており、そのアンカーコート層７２，７２・・の上に、粘着剤層（アクリル樹脂系の粘着剤層）７３が積層されている。そして、その粘着剤層７３中に送受信回路３１が形成されている。また、粘着剤層７３は、フレキシブルプリント基板２７よりも下ケース４の表面と強固に接着するとともに、下ケース４の表面よりもアンカーコート層７２，７２・・と強固に接着するように調整されている。さらに、下ケース４と粘着剤層７３との接着強度よりもフレキシブルプリント基板２７とアンカーコート層７２，７２・・との接着強度が高くなるように調整されている。さらに、フレキシブルプリント基板２７の左側の端縁際には、ＩＣチップ３０が設置されている。ＩＣチップ３０は、呼出波に応答して反射波を放出するＲＦ回路２８と、不揮発性の記憶手段であるＥＥＰＲＯＭ２９とを一体にしたものであり、ＥＥＰＲＯＭ２９と接続されたＲＦ回路２８が、送受信回路３１に接続されている。また、ＥＥＰＲＯＭ２９の上書消去禁止区域には、ＩＣタグ２６を他のＩＣタグと識別するためのＩＤコード等の識別情報が記憶されている。
【００３０】
かかるＩＣタグ２６は、アンテナとの間で、所定の周波数（ここでは、１３．５６ＭＨｚ）を利用して、ノイズの影響が比較的に少ないＲＦ送受信を行うことができ、呼出波を受信すると、予め登録された識別情報を含む反射波を、所定の通信範囲（約３ｍｍ）内に出力（返信）する。なお、反射波の返信は、ＥＥＰＲＯＭ２９からＩＤコード等の識別情報を読み出し、その識別情報を反射波に乗せてＲＦ回路２８から送信することによって行われる。また、ＩＣタグ２６は、所定波長の呼出波が送信されると、その呼出波を送受信回路３１が受信し、呼出波に含まれた搬送波成分をＲＦ回路２８で整流することによって直流電圧を得ることができる。したがって、ＩＣタグ２６は、外部からの電源供給を受けることなく必要なときにいつでも反射波を返信することができる。また、呼出波に乗せて送信された特定のデータ（異常の履歴等）をＥＥＰＲＯＭ２９に記憶しておくこともできる。
【００３１】
また、ＩＣタグ２６は、粘着剤層７３によって上ケース３に貼着（粘着）されており、剥離すると、図７の如く、送受信回路３１の一部が粘着剤層とともに分離して接着面（上ケース３の表面）に残存し、送受信回路３１が切断され、アンテナ３２とＲＦ送受信を行うアンテナとしての機能を果たさなくなる（すなわち、自己破壊する）。
【００３２】
一方、図８は、監視ユニット７４の分解斜視図であり、監視ユニット７４は、ベルト８０、アンテナ３２、ベース体７５とカバー７６とからなるハウジングＨ、支持体７７、係合体７８、スイッチ７９等によって構成されている。ベルト８０は、柔軟性を有する合成樹脂（ポリアミド、ポリ塩化ビニル等）によって一体的に形成されており、長尺状のベルト本体８１の基端に、固着孔８３，８３を穿設した固着部８２が、ベルト本体８１より幅広に設けられている。また、ベルト本体８１の外周には、ベルト本体８１の基端の上側から上端縁際、先端、下端縁際を通って基端の下側まで到達するように、リード線１１０が内蔵されている。さらに、ベルト本体８１の先端際には、複数の縦長の係合リブ８４，８４・・が、所定間隔を隔てて平行に突設されている。また、固着部８２には、端子８５ａ，８５ｂが設けられており、上側の端子８５ａは、リード線１１０の片端縁（ベルト本体８１の基端の上側に位置した部分）と接続されており、下側の端子８５ｂは、リード線１１０の他端縁（ベルト本体８１の基端の下側に位置した部分）と接続されている。
【００３３】
ベース体７５は、合成樹脂によって扁平な直方体状に一体成形されており、アンテナ収納部１０９が凹状に設けられている。さらに、アンテナ収納部１０９の中央には、リード線導出部１０８が凹状に設けられている。一方、ベース体７５の表面には、ベルト本体８１を挿通させるための挿通リブ８６，８６が水平方向に沿って平行に突設されている。また、それらの挿通リブ８６，８６の外側には、位置決めピン１１３，１１３が突設されている。さらに、ベース体７５の中央の上端際には、リード線挿通孔８７が穿設されており、ベース体７５の表面の四隅には、固着ピン８８，８８・・が立設されている。加えて、右端際の固着ピン８８，８８の間には、固定ピン８９，８９が上下に設けられている。
【００３４】
アンテナ３２は、合成樹脂製のプリント基板９０の表面に、送受信回路３５が渦巻き状に形成されている。そして、送受信回路３５の両端縁に端子１１４ａ，１１４ｂが設けられており、それらの端子１１４ａ、１１４ｂから、リード線１１５ａ，１１５ｂが導出されている。
【００３５】
カバー７６は、合成樹脂によって扁平な直方体状に一体成形されている。そして、右端縁際の中央部分には、ガイド溝１１６が刻設されており、そのガイド溝１１６の左端縁際には、ベルト挿通孔１１１が穿設されている。一方、中央のやや左側には、摘み挿通孔１０４が穿設されている。また、裏面の四隅には、ピン挿通孔１０７，１０７・・が穿設されている。
【００３６】
支持体７７は、合成樹脂によって平板状に一体成形されており、左端縁際に、上ガイド孔９１、下ガイド孔９２が穿設されている。また、表面の右端縁際の下方には、２つの固着ピン９３ａ，９３ｂが立設されており、下側の固着ピン９３ｂの方が上側の固着ピン９３ａより内側に位置した状態になっている。さらに、左上方と右下方には、位置決め孔９４，９４が貫設されており、裏面には、ガイド溝１１２が水平方向に沿って凹状に設けられている。
【００３７】
係合体７８は、合成樹脂によって一体成形されており、縦長な長方形状のベース板９５の表面に、摘み９６が突設されている。また、ベース板９５の裏面の上側には、係合リブ９７が、逆Ｕ字状に突出するように設けられており、その係合リブ９７の下側には、ガイド突起９８が、水平な直線状に突出するように設けられている。
【００３８】
スイッチ７９は、扁平な直方体状に形成されたスイッチ本体９９の右側面に、端子１０６ａ，１０６ｂが設置されている。また、スイッチ本体９９の左側面には、スイッチ本体９９に内蔵された板バネ（図示せず）によって外向きに付勢された突起体１０２が、出没自在に突設されているとともに、短冊状の押止片１０１が回動自在に（スイッチ本体９９の左側面に対して近接・離反するように）枢着されている。そして、押止片１０１を、突起体１０２の付勢力に抗してスイッチ７９の左側面に対して近接させることによって、端子１０６ａ，１０６ｂ間が電気的に接続されるようになっている。また、スイッチ本体９９の右端縁際には、２つの固着孔１００，１００が穿設されている。
【００３９】
監視ユニット７４は、ベルト８０の固着部８２の固着孔８３，８３に、ベース体７５の固定ピン８９，８９を挿入し、支持体７７の位置決め孔９４，９４に、ベース体７５の位置決めピン１１３，１１３を挿入し、支持体７７の上ガイド孔９１，下ガイド孔９２に、係合体７８の係合リブ９７、ガイド突起９８を挿入し、スイッチ部材７９の固着孔１００，１００に、支持体７７の固着ピン９３ａ，９３ｂを挿入し、カバー７６の摘み挿通孔１０４から係合体７８の摘み９６を突出させた状態で、カバー部材７６の裏面のピン挿通孔１０７，１０７・・に、ベース体７５の固着ピン８８，８８・・を挿入することによって、一体的に組み付けられている。なお、支持体７７の固着ピン９３ｂが固着ピン９３ａより内側に位置しているため、ハウジングＨ内に設置されたスイッチ７９のスイッチ本体９９の左側面が、上から下にかけて内向きに傾斜した状態になっている。
【００４０】
また、アンテナ３２が、前面をベース体７５のリード線導出部１０８の周囲に当着させることによって、ベース体７５のアンテナ収納部１０９内に収納されている。そして、アンテナ３２のリード線１１５ａ，１１５ｂが、ベース体７５のリード線挿通孔８７を挿通して、ベース体７５の表面側まで導出されている。そして、アンテナ３２の片方のリード線１１５ａは、ベルト８０の端子８５ａに接続されており、アンテナ３２の他方のリード線１１５ｂは、スイッチ部材７９の端子１０６ｂに接続されている。さらに、ベルト部材８０の端子８５ｂ、および、スイッチ７９の端子１０６ａは、それぞれ、リード線によって、監視ユニット７４の外部へ導出されている（後述する図１２参照）。
【００４１】
かかる監視ユニット７４は、一体となった収納ケースＣの周囲にベルト本体８１を捲回させ、係合体７８を上方にスライドさせて、ベルト本体８１の先端をカバー７６のベルト挿通孔１１１に挿入しハウジングＨの内部を貫通させてから引き出し、ベルト本体８１と制御装置１との間の弛みをなくした状態で、係合体７８を下方にスライドさせて係合体７８の係合リブ９７をベルト本体８１の係合リブ８４と係合させることによって、収納ケースＣの外周に設置されている。そして、収納されたアンテナ３２が、上ケース３の外面に貼着されたＩＣタグ２６と対峙した状態になっている。
【００４２】
また、監視ユニット７４は、係合体７８を上方にスライドさせると、係合体７８の係合リブ９７とベルト本体８１の係合リブ８４との係合状態が解除されるため、収納ケースＣから取り外すことが可能となる。さらに、そのように係合体７８を上方にスライドさせると、スイッチ部材７９の押止片１０１が、スイッチ本体９９の左側面から離反するように回動して、スイッチ７９の端子１０６ａと端子１０６ｂとの間が開いた状態となる（電気的に断線した状態となる）。逆に、係合体７８を下方にスライドさせると、スイッチ部材７９の押止部材１０１が、スイッチ本体９９の左側面に近接するように回動して、スイッチ７９の端子１０６ａと端子１０６ｂとの間が閉じた状態となる（電気的に接続された状態となる）。
【００４３】
４．実施例の制御装置の使用態様
上記の如く構成された制御装置１は、パチンコ機等の遊技機に設置されて使用される。図９、図１０は、制御装置１を設置したパチンコ機の正面、裏面を示したものであり、パチンコ機３６は、中央よりやや上側に遊技盤３９が設けられており、その遊技盤３９の表面には、ガイドレールで囲まれた略円形の遊技領域４１が設けられている。また、遊技盤３９の下側には、内蔵された発射装置に遊技球を供給するための供給皿４２が設けられており、その供給皿４２の下側には、供給皿４２から溢れた遊技球を貯留するための貯留皿４３が設けられている。さらに、供給皿４２と貯留皿４３との間には、効果音を発生させるスピーカ４４が設けられており、貯留皿４３の右側には、発射装置を操作するための発射ハンドル４５が設けられている。また、遊技領域４１の略中央には、図柄表示装置４６が設けられており、液晶画面４７に、種々の動画やメッセージ等を表示することができるようになっている。また、図柄表示装置４６の下側には、図柄始動口４８が設けられており、その図柄始動口４８の下方には、扉部材を開閉するアタッカ部材４９が設けられている。
【００４４】
一方、パチンコ機３６の裏面の左下方に、制御装置１が設けられており、その制御装置１の上側のセンターカバー５０の内部には、アンテナ３２を介してＩＣタグ２６と周期的な無線通信を実行することにより制御装置１の状態を監視するリーダ／ライタユニット（以下、Ｒ／Ｗユニットという）３８が設置されている。図１１は、Ｒ／Ｗユニット３８の制御機構を示したものであり、Ｒ／Ｗユニット３８は、ＣＰＵ５１、ＲＡＭ６３、ＲＯＭ６４、ＥＥＰＲＯＭ５２、タイマ５３、ＩＣタグ２６との間でＲＦ送受信を行うためのＲＦ回路５８等を有している。また、ＣＰＵ５１が、Ｉ／Ｏインタフェイス５９を介して、ＬＡＮカード６０、入力ポート６１、表示器６２等と接続されている。なお、Ｒ／Ｗユニット３８は、パチンコ機３６が設置される島設備から電源供給を受けるようになっている。また、図１２は、監視ユニット７４とＲ／Ｗユニットとの接続状態を示す回路図であり、監視ユニット７４の外部に導出されたリード線１１７ａ（すなわち、スイッチ７９の端子１０６ａと接続されたリード線）、および、リード線１１７ｂ（すなわち、ベルト部材８０の端子８５ｂと接続されたリード線）が、Ｒ／Ｗユニット３８のＲＦ回路５８に接続された状態になっている。
【００４５】
さらに、図１０に示すように、Ｒ／Ｗユニット３８の上側には、図柄表示装置４６の表示内容を制御するための図柄制御装置５４が設置されており、Ｒ／Ｗユニット３８の右側には、スピーカ４４から発生させる効果音の内容を制御するための効果音制御装置５６が設置されている。加えて、センターカバー５０の右側には、賞球時や貸球時に遊技球を払い出すための遊技球払出装置５７が設置されている。
【００４６】
また、図１３は、パチンコ機３６の制御機構を示したものであり、制御装置１は、基板２に搭載されたＬＳＩ２５が、Ｉ／Ｏインタフェイス６７を介して、図柄制御装置５４、効果音制御装置５６、各種の入賞装置への入賞を検出する入賞検出装置６６、アタッカ部材４９を作動させるための作動装置６５、遊技球払出装置５７等と接続されている。
【００４７】
５．実施例の制御装置を設置したパチンコ機の動作内容
パチンコ機３６は、制御装置１のＬＳＩ２５に記憶されたプログラムにしたがい、図柄制御装置５４、効果音制御装置５６、遊技球払出装置５７等と信号の送受信を行うことによって、主たる遊技動作を実行する。そして、発射ハンドル４５の回転操作によって遊技領域４１に打ち出された遊技球が図柄始動口４８に入賞すると、「抽選」を実行し、「大当たり」を生起させるか否かを決定する。また、「抽選」を実行すると略同時に、図柄表示装置４６に表示された図柄を変動させ（他の図柄と順々に入れ替わる動画を表示し）、所定時間後に停止させて新たな図柄を表示する。さらに、「抽選」において「大当たり」が生起した場合には、図柄の変動後に、予め設定された「大当たり図柄」を表示し、しかる後に、「大当たり状態」を生起させる。「大当たり状態」においては、アタッカ部材４９の扉部材を所定回数だけ断続的に開成させるとともに、各種の発光部材を所定の態様で発光させ、スピーカ４４から所定の効果音を発生させる。一方、各種の入賞装置に遊技球が入賞した場合には、遊技球払出装置５７が、所定数の遊技球を賞品球として供給皿４２に払い出す。
【００４８】
また、パチンコ機３６は、制御装置１の状態を監視するために、Ｒ／Ｗユニット３８のＲＦ回路５８が、監視ユニット７４のアンテナ３２を介して、制御装置１のＩＣタグ２６に対して、所定の周波数（１３．５６ＭＨｚ）の呼出波を送信（ＲＦ送信）する。ＩＣタグ２６は、呼出波を受けると、直ちに、ＥＥＰＲＯＭ２９内から識別コードを呼び出し、その識別コードを含めた反射波を送信（ＲＦ送信）する。ＩＣタグ２６が反射波を送信すると、Ｒ／Ｗユニット３８は、監視ユニット７４内のアンテナ３２によって、その反射波を受信（ＲＦ受信）する。Ｒ／Ｗユニット３８は、反射波に含まれる識別コードが登録されたものであると確認すると、再度、直ちに呼出波を送信することにより、監視動作を、短時間（約数十ｍｓ）の周期で繰り返し実行する。
【００４９】
一方、Ｒ／Ｗユニット３８は、呼出波を送信してから所定時間（たとえば、５０ｍｓ）内に反射波を受信しなかった場合（すなわち、制御装置１が不正に開放された場合）に異常と判断し、異常を検知した旨をＥＥＰＲＯＭ５２に記憶し、ＬＡＮカード６０を介して、所定の異常検知信号を外部に出力するとともに、異常を検知した旨を表示器６２に表示する。
【００５０】
したがって、監視ユニット７４が無理矢理動かされて、アンテナ３２とＩＣタグ２６との距離が、アンテナ３２から出力される呼出波の出力範囲やＩＣタグ２６から出力される反射波の出力範囲を超えてしまった場合には、アンテナ３２およびＩＣタグ２６が、呼出波・反射波の送受信をすることができなくなるため、Ｒ／Ｗユニット３８は、異常を検知した旨をＥＥＰＲＯＭ５２に記憶し、所定の異常検知信号を外部の端末や警報器等に出力するとともに、異常を検知した旨を表示器６２に表示する。
【００５１】
また、監視ユニット７４の係合体７８を上方にスライドさせると、スイッチ部材７９の押止片１０１が、スイッチ本体９９の左側面から離反するように回動して、スイッチ７９の端子１０６ａと端子１０６ｂとの間が開いた状態となるため、Ｒ／Ｗユニット３８は、アンテナ３２へ呼出波を送信することができなくなる。この場合にも、Ｒ／Ｗユニット３８は、異常を検知した旨をＥＥＰＲＯＭ５２に記憶し、所定の異常検知信号を外部の端末や警報器等に出力するとともに、異常を検知した旨を表示器６２に表示する。同様に、監視ユニット７４が剥ぎ取られたり、ベルト本体８１が切断されたりした場合も、Ｒ／Ｗユニット３８は、アンテナ３２へ呼出波を送信することができなくなるため、異常を検知した旨をＥＥＰＲＯＭ５２に記憶し、所定の異常検知信号を外部の端末や警報器等に出力するとともに、異常を検知した旨を表示器６２に表示する。
【００５２】
一方、ＩＣタグ２６が、下ケース４から剥がされた場合には、図７の如く、ＩＣタグ２６の送受信回路３１が切断されるため、ＩＣタグは、アンテナ３２からの呼出波に応答して反射波を送信できなくなる。このため、Ｒ／Ｗユニット３８は、アンテナ３２へ呼出波を送信しても、ＩＣタグ２６から所定時間内に反射波を受信することができないため、異常を検知した旨をＥＥＰＲＯＭ５２に記憶し、所定の異常検知信号を外部の端末や警報器等に出力するとともに、異常を検知した旨を表示器６２に表示する。
【００５３】
６．実施例の監視手段、制御装置、および遊技機の効果
実施例の監視手段（ＩＣタグ２６、監視ユニット７４、およびＲ／Ｗユニット３８）は、上記の如く、監視装置であるＲ／Ｗユニット３８が、長手方向に沿ってアンテナ３２の配線を敷設した長尺なベルト部材であるベルト８０と、アンテナ３２を収納するとともにベルト８０の基端を固着した状態でベルト８０の先端を係着可能なハウジングＨとを有しているため、ＩＣタグ２６を制御装置１の収納ケースＣに固着し、そのＩＣタグ２６とアンテナ３２とが対峙するようにベルト８０を制御装置１の収納ケースＣに捲回させるだけで、制御装置１の不正開放を監視することが可能となる。また、すでにパチンコホールに設置されている遊技機の制御装置や、各メーカーによって製造される異なるタイプの制御装置等にも非常に容易に取り付けることができる。
【００５４】
また、実施例の監視手段は、ハウジングＨ内に、監視装置（監視ユニット７４およびＲ／Ｗユニット３８）の回路を遮断するためのスイッチ部材であるスイッチ７９が設けられているため、不必要なときには、スイッチ７９の操作によって監視状態を解除することができる。
【００５５】
さらに、実施例の監視手段は、ハウジングＨに、ベルト８０の先端との係着状態の保持および係着状態の解除をするための可動式の係脱摘みである摘み９６が設けられているため、制御装置の修理、メンテナンスや、チェックの際には、摘み９６を操作して、ハウジングＨとベルト８０の先端との係着状態の解除をするだけで、非常に容易に制御装置１の収納ケースＣを開放することができる。
【００５６】
加えて、実施例の監視手段は、摘み９６によって、ベルト８０の先端の係着状態を解除すると、スイッチ７９が連動して、アンテナ３２と外部の監視装置（上記実施形態ではＲ／Ｗユニット３８）とを接続した回路を遮断するため、制御装置１の修理、メンテナンスや、チェックの際には、自動的に監視状態が解除されるので、それらの作業を効率的に行うことができる。
【００５７】
一方、制御装置１は、上記の如く、監視手段が、ＩＣタグ２６を収納ケースＣに取り付けるとともに、ベルト部材であるベルト８０を収納ケースＣの外周に弛みなく捲回させ、係脱摘みである摘み９６の操作によりベルト８０の先端をハウジングＨに係着させた状態で装着されており、装着された監視手段のハウジングＨに設置されたアンテナ３２が、ＩＣタグ２６との間で、非接触式のＩＤ通信をすることが可能な状態になっている（すなわち、無線通信可能な所定距離（約３．０ｍｍ以下）を隔ててＩＣタグ２６と対峙した状態になっている）ため、収納ケースＣが不正に開放された場合（すなわち、監視ユニット７４が剥ぎ取られたり、監視ユニット７４のベルト本体８１が切断されたりした場合）には、ＩＣタグ２６とアンテナ３２とが送受信不能となり、不正に開放された事態を直ちに（リアルタイムで）検知することができる。したがって、ＬＳＩ２５等の制御素子の不正取り替え、不正改造等の不正行為を、効果的に防止することができる。
【００５８】
さらに、制御装置１は、ＩＣタグ２６が、ベースシートであるフレキシブルプリント基板２７上に送受信回路３１を積層したものであり、収納ケースＣから剥離すると、送受信回路３１が断線するようになっているため、ＩＣタグ２６が収納ケースＣから無理矢理剥がされた場合には、ＩＣタグ２６とアンテナ３２とが送受信不能となり、送受信可能な状態に復元し得ないため、不正行為の防止機能の信頼性が高い。
【００５９】
一方、パチンコ機１は、上記の如く、監視手段を装着した制御装置１を備えているので、制御装置１の収納ケースＣが不正に開放された場合には、ＩＣタグ２６とアンテナ３２とによって、直ちにその事態を検知することができるので、ＬＳＩ等の制御素子の不正取り替え、不正改造等の不正行為を、効果的に防止することができる。
【００６０】
７．本発明の変更例の説明
本発明の制御装置は、上記実施形態の態様に何ら限定されるものではなく、ＩＣタグ、アンテナ、ベルト部材、ハウジング、制御素子、収納ケースの材料、形状、構造等の構成を本発明の趣旨を逸脱しない範囲内で適宜変更することができる。
【００６１】
たとえば、制御装置は、上記実施形態の如く、ＩＣタグとアンテナとがきわめて短い距離（約３．０ｍｍ以下）を隔てて対峙するものに限定されず、ＩＣタグとアンテナとの距離を必要に応じて適宜変更することができる。なお、ＩＣタグの反射波の出力範囲（通信距離）は、コイルの巻き数の変更等によって、適宜調整することが可能である。
【００６２】
さらに、制御装置の収納ケースは、上記実施形態の如く、シンプルな係合機構のみを設けたものに限定されず、片方のケースの端縁に、ワンウェイタイプのネジを保持した切断可能な複数のネジ保持部を設ける（たとえば、小径の連結体を介して片方のケースの本体にネジ保持部が繋がった形状となるように、片方のケース、連結体、ネジ保持部を合成樹脂によって一体的に成形する）とともに、他方のケースの端縁に、ネジ保持部に保持されたネジを螺着させるネジ孔を形成したもの等に変更することも可能である。かかる構成を採用した場合には、収納ケースが不正に開放されると、収納ケースに不正に開放された痕跡が残り、目視によっても、その事態を速やかに把握することができるため、収納ケースの不正開放が一層困難なものとなる、というメリットがある。なお、収納ケースを、上記の如くネジ保持部を設けたものとする場合には、必要に応じて、上ケース（あるいは下ケース）に設けるネジ保持部の個数を、適宜変更することができる。また、ネジ保持部の設置位置は、収納ケースの左右に限定されず、収納ケースの上下に設置することも可能である。
【００６３】
また、制御装置は、１組のＩＣタグとアンテナとを設置したものに限定されず、２組以上のＩＣタグとアンテナとを設置したものでも良い。さらに、ＩＣタグを収納ケースの外側に取り付けたものに限定されず、収納ケースの内側面や基板上に取り付けたものでも良い。なお、ＩＣタグを収納ケースの内側に取り付ける場合には、ＩＣタグの設置方法として、接着剤による接着や、ＩＣタグを構成する樹脂を収納ケースに融着させる方法等を採用することができる。加えて、シート状のＩＣタグを、裏面に粘着剤を塗布したシールとするとともに、粘着剤層の表面に剥離紙を貼着しておき、設置する際に剥離紙を剥離して貼着するようにすれば、ＩＣタグの設置が非常に容易になる、というメリットがある。さらに、制御装置は、上記実施形態の如く、遊技機の主たる遊技動作を制御するためのものに限定されず、遊技球の払出動作を制御するためのものや、複数の基板を統合して制御するためのもの等でも良い。
【００６４】
また、監視手段のベルト部材の先端部分をハウジングに係着させるための方法は、上記実施形態の如く、ベルトの先端際の係合リブにハウジング内の係合体の係合リブを係合させる方法に限定されず、ベルトの先端際に設けた係合凹部にハウジング内の係合体の係合突起を係合させる方法や、ベルトの先端際に設けた係合突起にハウジング内の係合体の係合凹部を係合させる方法等でも良い。
【００６５】
さらに、監視手段のスイッチは、上記実施形態の如く、ハウジング内の係合体と連動して作動するものに限定されず、ハウジング内の係合体と別個に作動するものでも良い。加えて、スイッチ自体の構成や、スイッチをハウジング内の係合体と連動させるための構成も、上記実施形態の構成に何ら限定されない。
【００６６】
一方、収納ケースに貼着されるＩＣタグは、他のＩＣタグと識別するためのＩＤコードのみならずメーカーＩＤやホールＩＤ等の識別情報をも記憶させたものに変更することも可能である。
【００６７】
また、ＩＣタグを自己破壊タイプのものとする方法は、上記実施形態の如きフレキシブルプリント基板の表面に積層する粘着剤層中に送受信回路を形成する方法に限定されず、剥離によって所定量以上の応力が加わると短絡するような回路をＩＣタグに設ける（内蔵させる）方法等でも良い。
【００６８】
加えて、Ｒ／Ｗユニットは、制御装置の定期的な監視のみを行うものに限定されず、テンキー等の入力手段が設けられており、所定の入力をすることによって、任意のタイミングで制御装置の監視を行うことができるものに変更することも可能である。なお、Ｒ／Ｗユニットを、上記実施形態の如く、ごく短期間の周期の定期的な監視を行うものとした場合には、不正行為が行われた事態をリアルタイムで把握することができる、というメリットがある。また、Ｒ／Ｗユニットは、異常を検知した旨を不揮発性の記憶手段であるＥＥＰＲＯＭに記憶するものに限定されず、通常のＲＯＭ，ＲＡＭ、ハードディスク、光メディア等の記憶手段に記憶するもの等でも良い。さらに、Ｒ／Ｗユニットは、パチンコ機が設置される島設備から電源供給を受けるものに限定されず、パチンコ機から電源供給を受けるもの等でも良い。
【００６９】
また、Ｒ／Ｗユニットは、営業時間中には異常事態の報知のみを行い、パチンコ機が稼働していない夜間等には監視履歴情報をＥＥＰＲＯＭ等の記憶手段に記憶させるものに変更することも可能である。
【００７０】
さらに、Ｒ／Ｗユニットは、携帯端末（たとえば、ＰＤＡや携帯電話）等の外部の機器からの呼び出しに応じて、記憶手段に記憶させた監視履歴に関する情報を出力するものとすることも可能である。
【００７１】
加えて、上記実施形態においてはパチンコ機に用いられる制御装置について説明したが、本発明の制御装置が用いられる機器は、スロットマシーンやテレビゲーム等のパチンコ機以外の遊技機でも良いし、工作機械や産業用ロボット等の所定の動作を行う別の機器でも良い。また、本発明の監視手段を設置する制御装置も、遊技機の制御装置に限定されず、工作機械や産業用ロボット等の機器の制御装置でも良い。
【産業上の利用可能性】
【００７２】
本発明の監視手段は、パチンコ機、スロットマシーン等の各種の機器に搭載される制御装置の監視手段として好適に用いることができる。また、本発明の制御装置は、パチンコ機、スロットマシーン等の各種の機器の制御装置として好適に用いることができる。さらに、本発明の遊技機は、パチンコ機、スロットマシーン等の遊技機として好適に利用することができる。
【図面の簡単な説明】
【００７３】
【図１】制御装置の正面図である。
【図２】制御装置の斜視図である。
【図３】収納ケースを開放し基板を取り外した状態を示す斜視図である。
【図４】ＩＣタグの正面図である。
【図５】ＩＣタグの制御機構を示すブロック図である。
【図６】上ケースに貼着したＩＣタグの断面（図４におけるＡ−Ａ線断面）を示す説明図である。
【図７】ＩＣタグを剥がす様子を示す説明図である。
【図８】締着部材の分解斜視図である（ａは、右前方から見た分解斜視図であり、ｂは、左後方から見た分解斜視図である）。
【図９】制御装置を設置したパチンコ機の正面図である。
【図１０】制御装置を設置したパチンコ機の裏面図である。
【図１１】Ｒ／Ｗユニットの制御機構を示すブロック図である。
【図１２】締着部材とＲ／Ｗユニットとの接続状態を示す回路図である。
【図１３】パチンコ機の制御機構を示すブロック図である。
【符号の説明】
【００７４】
１・・制御装置、３・・上ケース、４・・下ケース、２５・・ＬＳＩ（制御素子）、２６・・ＩＣタグ、２７・・フレキシブルプリント基板（ベースシート）、３１・・送受信回路、３２・・アンテナ、３６・・パチンコ機（遊技機）、７９・・スイッチ、８０・・ベルト（ベルト部材）９６・・摘み、Ｈ・・ハウジング、Ｃ・・収納ケース。
【図１】
2005074239.tif 000003
【図２】
2005074239.tif 000004
【図３】
2005074239.tif 000005
【図４】
2005074239.tif 000006
【図５】
2005074239.tif 000007
【図６】
2005074239.tif 000008
【図７】
2005074239.tif 000009
【図８】
2005074239.tif 000010
【図９】
2005074239.tif 000011
【図１０】
2005074239.tif 000012
【図１１】
2005074239.tif 000013
【図１２】
2005074239.tif 000014
【図１３】
2005074239.tif 000015